(57)【要約】　　　（修正有）【課題】インダクタとコンデンサの部品ばらつきによる、放電灯の印加電圧の低下を防止する放電灯点灯装置を提供する。【解決手段】交流電源からの交流電圧を直流電圧に変換する直流電源回路１００と、制御部及び２個のスイッチング素子の直列接続部を少なくとも一つ有し、制御部からの駆動信号により各スイッチング素子を交互に切換えて直流電源回路からの直流電圧を交流電圧に変換する電力変換回路２００と、電力変換回路から電力供給を受ける放電灯Ｌａを有する負荷回路と、を備える放電灯点灯装置において、２個のスイッチング素子Ｓ１・Ｓ３、Ｓ２・Ｓ４の直列接続部の接続点と基準グランドＧ１間の電圧を検出する検出部２０ａ、２０ｂを備え、制御部１は検出部２０ａ、２０ｂが検出した電圧値に基づいてスイッチング素子Ｓ１〜Ｓ４を切換える。【選択図】　　　図１
2004063221.tif 000002
【特許請求の範囲】
【請求項１】
交流電源からの交流電圧を直流電圧に変換する直流電源回路と、制御部及び２個のスイッチング素子の直列接続部を少なくとも一つ有し、制御部からの駆動信号により各スイッチング素子を交互に切換えて直流電源回路からの直流電圧を交流電圧に変換する電力変換回路と、電力変換回路から電力供給を受ける放電灯を有する負荷回路と、を備える放電灯点灯装置において、２個のスイッチング素子の直列接続部の接続点と基準グランド間の電圧を検出する検出部を備え、制御部は検出部が検出した電圧値に基づいてスイッチング素子を切換えることを特徴とする放電灯点灯装置。
【請求項２】
前記検出部は、スイッチング素子の直列接続部の接続点と基準グランド間の電圧が、前記直流電源回路からの一定の直流電圧に略等しくなった時点で、スイッチング素子を切換えることを特徴とする請求項１記載の放電灯点灯装置。
【請求項３】
前記検出部は、スイッチング素子の直列接続部の接続点と基準グランド間の電圧を一定時間間隔で測定してピーク値を決定し、ピークの経過後に、スイッチング素子を切換えることを特徴とする請求項１記載の放電灯点灯装置。
【請求項４】
前記直列に接続されたスイッチング素子の直列接続部の接続点と、別途設けたスイッチング素子の直列接続部の接続点との間の電圧を検出する差分検出器を有することを特徴とする請求項１記載の放電灯点灯装置。
【請求項５】
前記検出部は、検出した信号を保持する記憶器を有することを特徴とする請求項１乃至４記載の放電灯点灯装置。
【発明の詳細な説明】
【０００１】
【発明の属する技術分野】
本発明は、放電灯点灯装置、特に高圧放電灯を点灯させる放電灯点灯装置に関するものである。
【０００２】
【従来の技術】
従来、この種の放電灯点灯装置としては、たとえば電気設備学会誌（平成２年３月号Ｐ２１２）に示すように、交流電源からの交流電圧を直流電圧に変換する直流電源回路と、制御部及び２個のスイッチング素子の直列接続部を少なくとも一つ有し、制御部からの駆動信号により各スイッチング素子を交互に切換えて直流電源回路からの直流電圧を交流電圧に変換する電力変換回路と、電力変換回路に接続される放電灯とインダクタの直列接続部と、放電灯に並列に接続されるコンデンサとを有するものが存在している。
【０００３】
【発明が解決しようとする課題】
上記の従来例においては、再点弧電圧が発生しないので、電源の変動によって放電灯が点灯中にいつのまにか消灯してしまうという現象にも強いという特徴がある。
【０００４】
しかしながら、このものを厳密に見ると、放電灯の印加電圧がインダクタのインダクタンスとコンデンサの容量に依存するので、インダクタとコンデンサ部品ばらつきが大きい場合には、スイッチング素子の動作周波数によっては、放電灯の印加電圧の瞬時値がピークに達する前に、スイッチング素子が切り換わり、放電灯の印加電圧が低下し、効率が低下するという可能性が懸念される。
【０００５】
本発明は、かかる事由に鑑みてなしたものであり、その目的とするところは、インダクタとコンデンサ部品ばらつきの影響を抑え、放電灯の印加電圧の低下を防止する放電灯点灯装置を提供することである。
【０００６】
【課題を解決するための手段】
【０００７】
【発明の実施の形態】
請求項１にかかる発明は、交流電源からの交流電圧を直流電圧に変換する直流電源回路と、制御部及び２個のスイッチング素子の直列接続部を少なくとも一つ有し、制御部からの駆動信号により各スイッチング素子を交互に切換えて直流電源回路からの直流電圧を交流電圧に変換する電力変換回路と、電力変換回路から電力供給を受ける放電灯を有する負荷回路と、を備える放電灯点灯装置において、２個のスイッチング素子の直列接続部の接続点と基準グランド間の電圧を検出する検出部を備え、制御部は検出部が検出した電圧値に基づいてスイッチング素子を切換えることを特徴とする。
【０００８】
請求項２にかかる発明は、請求項１記載の放電灯装置において、前記検出部は、スイッチング素子の直列接続部の接続点と基準グランド間の電圧が、前記直流電源回路からの一定の直流電圧に略等しくなった時点で、スイッチング素子を切換えることを特徴とする。
【０００９】
請求項３にかかる発明は、請求項１記載の放電灯装置において、前記検出部は、スイッチング素子の直列接続部の接続点と基準グランド間の電圧を一定時間間隔で測定してピーク値を決定し、ピークの経過後に、スイッチング素子を切換えることを特徴とする。
【００１０】
請求項４にかかる発明は、請求項１記載の放電灯装置において、前記直列に接続されたスイッチング素子の直列接続部の接続点と、別途設けたスイッチング素子の直列接続部の接続点との間の電圧を検出する差分検出器を有することを特徴とする。
【００１１】
請求項５にかかる発明は、請求項１乃至４記載の放電灯点灯装置において、
前記検出部は、検出した信号を保持する記憶器を有することを特徴とする。
（第１の実施形態）
図１は第１の実施形態の回路図である。
【００１２】
この放電灯点灯装置は、商用の交流電源からの交流電圧を直流電圧に変換する直流電源回路１００と、制御部１の駆動信号によりスイッチング素子Ｓ１、Ｓ４とスイッチング素子Ｓ２、Ｓ３を交互にオン・オフさせて直流電源回路からの直流電圧を交流電圧に変換する電力変換回路２００と、電力変換回路２００に接続される放電灯Ｌａと、を備えて構成されている。
【００１３】
直流電源回路１００は、前述のように商用の交流電源からの交流電圧を直流電圧に変換するもので、以下のように接続されている。商用交流電源にダイオードブリッジＤＢ１が接続され、ダイオードブリッジＤＢ１にインダクタＬ２が接続され、インダクタＬ２にはスイッチング素子Ｓ５がダイオードブリッジＤＢ１に対して並列に接続されている。そして、スイッチング素子Ｓ５にはダイオードＤ５が接続され、ダイオードＤ５には平滑コンデンサＣ１がスイッチング素子Ｓ５に対して並列に接続されている。
【００１４】
電力変換回路２００は、平滑コンデンサＣ１からの直流電圧を高周波の交流電圧に変換するものであり、以下のように接続されている。ダイオードＤ１とダイオードＤ３の直列接続部が平滑コンデンサＣ１に対して並列に接続されている。ダイオードＤ１とダイオードＤ３の直列接続部には、スイッチング素子Ｓ１とＳ３の直列接続部が並列に接続されている。そして、ダイオードＤ１とダイオードＤ３の直列接続部の接続点とスイッチング素子Ｓ１とＳ３の直列接続部の接続点とが接続されている。また、スイッチング素子Ｓ１とＳ３の直列接続部には、スイッチング素子Ｓ２とＳ４の直列接続部が並列に接続されている。スイッチング素子Ｓ２とＳ４の直列接続部には、ダイオードＤ２とダイオードＤ４の直列接続部が並列に接続されている。そして、ダイオードＤ２とダイオードＤ４の直列接続部の接続点とスイッチング素子Ｓ２とＳ４の直列接続部の接続点とが接続されている。そしてまた、放電灯ＬａとコンデンサＣ２の並列接続部とインダクタＬ１が直列に接続されてなる負荷回路Ｚが，スイッチング素子Ｓ１とＳ３の直列接続部の接続点と、スイッチング素子Ｓ２とＳ４の直列接続部の接続点とに接続されている。なお、本実施形態では放電灯Ｌａとして、メタルハライドランプ１２０Ｗを用いている。
【００１５】
つぎに、この実施形態の主要部分を説明する。すなわち、スイッチング素子Ｓ１とＳ３の直列接続部の接続点と基準グランド間に、スイッチング素子Ｓ１とＳ３の直列接続部の接続点と基準グランド間の電圧を検出し、検出した電圧値、すなわち検出電圧に基づいて制御部１にスイッチング素子Ｓ１〜Ｓ４のオン・オフをさせる検出部２０ａを接続する。また、スイッチング素子Ｓ２とＳ４の直列接続部の接続点と基準グランドＧ１間に、スイッチング素子Ｓ２、Ｓ４の直列接続部の接続点と基準グランド間の電圧を検出し、検出電圧に基づいて制御部１にスイッチング素子Ｓ１〜Ｓ４のオン・オフをさせる検出部２０ｂを接続する。そして、検出部２０ａ、ｂには、スイッチング素子Ｓ１〜Ｓ４及びスイッチング素子Ｓ５に接続されて各スイッチング素子Ｓ１〜Ｓ５を駆動させる制御部１が接続されている。
【００１６】
検出部２１ａ、２１ｂは、たとえば図２に示すように、比較器２１ａ、２１ｂで構成する。比較器２１ａの入力端子のプラス側はスイッチング素子Ｓ１とＳ３の直列接続部の接続点に接続している。また、比較器２１ａの入力端子のマイナス側は基準電源３ａを介して基準グランドＧ１に接続している。そして、比較器２１ａの出力端子は制御部１に接続している。一方、比較器２１ｂの入力端子のプラス側はスイッチング素子Ｓ２とＳ４の直列接続部の接続点に接続している。そして、比較器２１ｂの入力端子のマイナス側は基準電源３ｂを介して基準グランドＧ１に接続している。そしてまた、比較器２１ｂの出力端子は制御部１に接続している。
【００１７】
以上のような回路構成において、直流電源回路１００では、制御部１からの駆動信号によりスイッチング素子Ｓ５がオンすると、ダイオードブリッジＤＢ１の出力をインダクタＬ２で短絡する。この場合、インダクタＬ２にダイオードブリッジＤＢ１の瞬時値に比例した傾きで増加する電流が流れる。つぎに、スイッチング素子Ｓ５がオフするとインダクタＬ２に誘導起電力が発生し、ダイオードＤ５を介して平滑コンデンサＣ１を充電する。このような動作を繰り返して、直流電源回路１００は交流電圧を所定の直流電圧に変換する。
【００１８】
電力変換回路２００では、制御部１からの駆動信号を受けて、スイッチング素子Ｓ２、Ｓ３がオン、スイッチング素子Ｓ１、Ｓ４がオフとなると、平滑コンデンサＣ１→スイッチング素子Ｓ２→負荷回路Ｚ→スイッチング素子Ｓ３の順で電流が流れる。つぎに、制御部１からの駆動信号により、スイッチング素子Ｓ１、Ｓ４がオン、スイッチング素子Ｓ２、Ｓ３がオフとなると、平滑コンデンサＣ１→スイッチング素子Ｓ１→負荷回路Ｚ→スイッチング素子Ｓ４の順で電流が流れる。以上の動作を交互に繰り返すことにより、負荷回路Ｚを構成する放電灯Ｌａには高周波の電力が供給される。
【００１９】
このようにスイッチング素子Ｓ１〜Ｓ４が動作した場合の信号図を図３に示す。
制御部１からの駆動信号により、スイッチング素子Ｓ１、Ｓ４がオン、スイッチング素子Ｓ２、Ｓ３がオフとなると、スイッチング素子Ｓ１、Ｓ３の接続点と基準グランドＧ１に接続された比較器２１ａの検出電圧は上昇する。比較器２１ａは、連続的に検出電圧と基準電源３ａによる基準電圧と比較する。なお、基準電圧は直流電源回路１００からの一定の直流電圧に略等しい値に設定し、その値は
検出におけるノイズの影響を考慮し、直流電圧の約９０％の値で設定する。本実施形態では、直流電源回路１００からの直流電圧を２００Ｖとしたので、基準電圧の値は１８０Ｖとした。
【００２０】
ここで、検出電圧が基準電圧よりも小さい場合には、スイッチング素子Ｓ１とＳ４をオン、スイッチング素子Ｓ２とＳ３のオフを継続する。一方、検出電圧が基準電圧と等しくなった場合には、比較器２１ａは制御部１にスイッチングを切換えるよう信号を出力する。制御部１は、比較器２１ａからの信号を受けてスイッチング素子Ｓ２、Ｓ３をオン、スイッチング素子Ｓ１、Ｓ４をオフするように駆動信号を出力する。
【００２１】
つぎに、スイッチング素子Ｓ２、Ｓ３がオン、スイッチング素子Ｓ１、Ｓ４がオフになると、スイッチング素子Ｓ２、Ｓ４の直列接続部の接続点と基準グランドＧ１に接続された比較器２１ｂの検出電圧は上昇する。比較器２１ｂは、連続的に検出電圧と基準電源３ｂによる基準電圧と比較する。ここで、検出電圧が基準電圧よりも小さい場合には、スイッチング素子Ｓ２とＳ３をオン、スイッチング素子Ｓ１とＳ４のオフを継続する。一方、検出電圧が基準電圧と等しくなった場合には、比較器２１ｂは制御部１にスイッチングを切換えるよう信号を出力する。制御部１は、比較器２１ｂからの信号を受けてスイッチング素子Ｓ１、Ｓ４をオン、スイッチング素子Ｓ２、Ｓ３をオフするように駆動信号を出力する。
【００２２】
以上のように、本実施形態では、スイッチング素子Ｓ１、Ｓ３の直列接続部の接続点と基準グランドＧ１に接続された比較器２１ａの検出電圧、及びスイッチング素子Ｓ２、Ｓ４の直列接続部の接続点と基準グランドＧ１に接続された比較器２１ｂの検出電圧のピーク値を把握し、そのピーク値においてスイッチング素子を切換える。放電灯Ｌａの印加電圧と前記検出電圧の位相はほぼ等しいので、放電灯Ｌａの印加電圧のピーク値においてスイッチング素子Ｓ１〜Ｓ４を切換えることができる。これにより、インダクタＬ１とコンデンサＣ２の部品ばらつきが大きくなることにより、放電灯Ｌａの印加電圧の周波数が変化した場合においても、放電灯Ｌａの印加電圧のピーク値においてスイッチング素子Ｓ１〜Ｓ４を切換えることができ、放電灯の印加電圧の低下を抑制することができる。
【００２３】
また、図４は第１の実施形態における第１の別例を示した回路図である。
この例では、検出部が検出部２０ｂのみであり、検出部２０ｂは、差分検出器２２を介して、スイッチング素子Ｓ１、Ｓ３の直列接続部の接続点とスイッチング素子Ｓ２、Ｓ４の直列接続部の接続点に接続されている。このようにすることにより、差分検出器２２は、スイッチング素子Ｓ１、Ｓ３の直列接続部の接続点とスイッチング素子Ｓ２、Ｓ４の直列接続部の接続点との間の電圧を検出することができる。これにより、たとえば、スイッチング素子Ｓ１とＳ３の接続点と基準グランドＧ１との電圧を測定する場合に発生するスイッチング素子Ｓ４での損失がないので、より放電灯Ｌａの印加電圧の値に近い検出電圧を得ることができる。
【００２４】
また、図５は第１の実施形態における第２の別例を示した回路図である。
この例では、検出部２０ａ、２０ｂに比較器を有するデータ記憶部４ａ、４ｂが接続されている。このものにおいては、比較器を有するデータ記憶部４ａ、４ｂが、検出部２０ａ、２０ｂによって得られた検出電圧の値を一定時間間隔で記憶する。ここでいう一定時間とは、本点灯装置を構成する部品の経年的な劣化が生じる程度の時間である。経年的な劣化としては、たとえばスイッチング素子である。制御部１から常に一定の駆動信号が出力されている場合であっても、スイッチング素子Ｓ１〜Ｓ４が劣化すると、スイッチングの速度が変化し、この速度の変化が、検出電圧値の変化として現れる。この検出電圧の各データを、過去のものと比較することにより、経時変化による本回路の構成部品の劣化を判別することができるのである。
【００２５】
なお、検出部２０ａ、２０ｂの具体的な他の構成として、Ａ−Ｄ変換器を用いることもできる。この場合には、アナログ値をデジタル値に置き換えるので、制御部１の構成が簡単になり、また高速制御を容易にすることが可能となる。
（第２の実施形態）
図６は第２の実施形態の回路図である。本実施形態においては、検出部２０ａ、２０ｂがＡ−Ｄ変換器２３ａ、２３ｂとラッチ回路２４ａ、２４ｂで構成されており、基準電源３ａ、３ｂを有しない点が第１の実施形態と異なるが、他の構成要素は同じである。
【００２６】
この実施形態では、スイッチング素子Ｓ１、Ｓ３又はＳ２、Ｓ４の直列接続部の接続点と基準グランドＧ１間の電圧をＡ−Ｄ変換器２３ａ又は２３ｂで検出し、ラッチ回路２４ａ又は２４ｂで保持する。そして、一定時間後に検出した電圧と、ラッチ回路２４ａ又は２４ｂで保持されている検出電圧を比較し、検出電圧がラッチ回路２４ａ又は２４ｂで保持されている検出電圧よりも小さくなった場合に、放電灯の印加電圧がピークに達したものと判断し、駆動信号を切換えるように制御部１に信号を出力する。
【００２７】
図７はＡ−Ｄ変換器２３ａ、２３ｂでの検出電圧の時間的変化と制御部１から出力されるスイッチング素子Ｓ１〜Ｓ４の駆動信号の時間変化を示す図である。たとえば、図７において、スイッチング素子Ｓ１、Ｓ４がオン、スイッチング素子Ｓ２、Ｓ３がオフとなった場合に、時間ｔａ時点でＡ−Ｄ変換器２３ａは検出電圧Ｖａを検出し、アナログ値をデジタル値に変換し、ラッチ回路２４ａはこの検出電圧Ｖａを保持する。そして、一定時間経過後の時間ｔｂ時点でＡ−Ｄ変換器２３ａは検出電圧Ｖｂを検出し、アナログ値をデジタル値に変換し、ラッチ回路２４ａは検出電圧Ｖｂを保持する。そして、比較器２１ａはＶｂとＶａを比較する。ここで、ＶｂはＶａよりも大きいので、比較器２１ａは制御部１に駆動信号を維持するように信号を出力する。つぎに、時間ｔｃで、Ａ−Ｄ変換器２３ａが検出電圧Ｖｃを検出し、アナログ値をデジタル値に変換し、ラッチ回路２４ａは検出電圧Ｖｃを保持する。そして、比較器２１ａはＶｃとＶｂを比較する。ここで、ＶｃはＶｂよりも小さいので、比較器２１ａは制御部１に駆動信号を切換える信号を出力する。その後、制御部１は、スイッチング素子Ｓ１、Ｓ４をオフにし、スイッチング素子Ｓ２、Ｓ３をオンするよう駆動信号を出力する。
【００２８】
つぎに、スイッチング素子Ｓ１、Ｓ４がオフ、スイッチング素子Ｓ２、Ｓ３がオンとなった場合、時間ｔｄ時点でＡ−Ｄ変換器２３ｂは検出電圧Ｖｄを検出し、アナログ値をデジタル値に変換し、ラッチ回路２４ｂはこの検出電圧Ｖｄを保持する。そして、一定時間経過後、時間ｔｅ時点でＡ−Ｄ変換器２３ｂは検出電圧Ｖｅを検出し、アナログ値をデジタル値に変換し、ラッチ回路２４ｂはこの検出電圧Ｖｅを保持する。そして、比較器２１ｂはＶｄとＶｅを比較する。ここで、ＶｅはＶｄよりも大きいので、比較器２１ｂは制御部１に駆動信号を維持するように信号を出力する。つぎに、一定時間経過後、時間ｔｆで、Ａ−Ｄ変換器２３ｂが検出電圧Ｖｆを検出し、アナログ値をデジタル値に変換し、ラッチ回路２４ｂはこの検出電圧Ｖｆを保持する。そして、比較器２１ａはＶｆとＶｅを比較する。ここで、ＶｆはＶｅよりも小さいので、比較器２１ｂは制御部１に駆動信号を切換える信号を出力する。その後、制御部１は、スイッチング素子Ｓ１、Ｓ４をオンにし、スイッチング素子Ｓ２、Ｓ３をオフするよう駆動信号を出力する。
【００２９】
以上のように、本実施形態では、スイッチング素子Ｓ１、Ｓ３又はＳ２、Ｓ４の直列接続部の接続点と基準グランドＧ１間の電圧のピーク値を検出し、そのピーク値においてスイッチング素子を切換える。放電灯Ｌａの印加電圧と前記検出電圧の位相はほぼ等しいので、放電灯Ｌａの印加電圧のピーク値においてスイッチング素子を切換えることができる。これにより、インダクタＬ１とコンデンサＣ２の部品ばらつきが大きくなることにより、放電灯Ｌａの印加電圧の周波数が変化した場合においても、放電灯Ｌａの印加電圧のピーク値においてスイッチング素子を切換えることができ、放電灯の印加電圧の低下を抑制することができる。
【００３０】
なお、本実施形態では、検出部としてＡ−Ｄ変換器２３ａ、２３ｂを用いたが、検出部としてマイクロプロセッサを用いてもよい。また以上の実施形態においては、電力変換回路２００において２個のスイッチング素子の直列接続部
を備えるようにしたが、１個のスイッチング素子の直列接続部であってもよい。また、基準グランドとして商用交流電源のグランドを用いてもよい。
【００３１】
【発明の効果】
請求項１に係る発明では、交流電源からの交流電圧を直流電圧に変換する直流電源回路と、制御部及び２個のスイッチング素子の直列接続部を少なくとも一つ有し、制御部からの駆動信号により各スイッチング素子を交互に切換えて直流電源回路からの直流電圧を交流電圧に変換する電力変換回路と、電力変換回路から電力供給を受ける放電灯を有する負荷回路と、を備える放電灯点灯装置において、２個のスイッチング素子の直列接続部の接続点と基準グランド間の電圧を検出する検出部を備え、制御部は検出部が検出した電圧値に基づいてスイッチング素子を切換えるようにした。ここで、放電灯の印加電圧と前記検出電圧の位相はほぼ等しいので、放電灯の印加電圧のピーク値においてスイッチング素子を切換えることができる。これにより、インダクタとコンデンサの部品ばらつきが大きくなって、放電灯の印加電圧の周波数が変化した場合においても、放電灯の印加電圧のピーク値においてスイッチング素子を切換えることができ、放電灯の印加電圧の低下を抑制することができる。
【００３２】
請求項２に係る発明では、請求項１において、前記検出部を、スイッチング素子の直列接続部の接続点と基準グランド間の電圧が、前記直流電源回路からの一定の直流電圧に略等しくなった時点で、スイッチング素子を切換えるようにした。
これにより、直流電源回路からの略一定の直流電圧から、放電灯の印加電圧のピーク値を間接的に把握し、スイッチング素子を切換えることができる。これにより、インダクタとコンデンサの部品ばらつきが大きくなることにより、放電灯の印加電圧の周波数が変化した場合においても、放電灯の印加電圧のピーク値においてスイッチング素子を切換えることができ、放電灯の印加電圧の低下を抑制することができる。
【００３３】
請求項３に係る発明では、請求項１において、前記検出部は、スイッチング素子の直列接続部の接続点と基準グランド間の電圧を一定時間間隔で測定してピーク値を決定し、ピークの経過後に、スイッチング素子を切換えるようにした。これにより、基準電源を用いることなく放電灯の印加電圧のピーク値を間接的に把握し、スイッチング素子を切換えることができる。これにより、インダクタとコンデンサの部品ばらつきが大きくなって、放電灯の印加電圧の周波数が変化した場合においても、放電灯の印加電圧のピーク値においてスイッチング素子を切換えることができ、放電灯の印加電圧の低下を抑制することができる。
【００３４】
請求項４に係る発明では、請求項１において、前記直列に接続されたスイッチング素子の直列接続部の接続点と、別途設けたスイッチング素子の直列接続部の接続点との間の電圧を検出する差分検出器を設けた。これにより、より放電灯の印加電圧に近い電圧を検出することができ、請求項１の効果をより高めることができる。
【００３５】
請求項５に係る発明では、請求項１乃至４記載の放電灯点灯装置において、前記検出部を検出した信号を保持する記憶器を有するようにした。これにより、検出電圧を保持し、過去のものと比較することにより、経時変化による回路部品の劣化を判別することができるのである。
【図面の簡単な説明】
【図１】第１の実施形態の基本となる回路図である。
【図２】第１の実施形態の回路図である。
【図３】第１の実施形態での検出電圧及びスイッチング素子の駆動信号を示す図である。
【図４】第１の実施形態における第１の別例の回路図である。
【図５】第１の実施形態における第２の別例の回路図である。
【図６】第２の実施形態の回路図である。
【図７】第２の実施形態での検出電圧及びスイッチング素子の駆動信号を示す図である。
【符号の説明】
１　制御部
２０ａ、２０ｂ　検出部
２１ａ、２１ｂ　比較器
２３ａ、２３ｂ　Ａ−Ｄ変換器
【図１】
2004063221.tif 000003
【図２】
2004063221.tif 000004
【図３】
2004063221.tif 000005
【図４】
2004063221.tif 000006
【図５】
2004063221.tif 000007
【図６】
2004063221.tif 000008
【図７】
2004063221.tif 000009